(57)【特許請求の範囲】
【請求項１】
ポリオキシエチレンアルキルエーテル、水溶性有機溶剤、着色剤、及び水を含有し、
前記ポリオキシエチレンアルキルエーテルのＨＬＢ値が１４〜１５であり、
前記ポリオキシエチレンアルキルエーテルが炭素数８〜１０のアルキル基を有する、
ボールペン用水性インキ組成物。
【請求項２】
前記ポリオキシエチレンアルキルエーテルの含有量は、水性インキ組成物全量を基準として、０．１〜１０質量％である、請求項１に記載の水性インキ組成物。
【請求項３】
リン酸エステルをさらに含有する、請求項１又は２に記載の水性インキ組成物。
【請求項４】
前記リン酸エステルはポリオキシエチレンアルキルエーテルリン酸エステルであり、前記ポリオキシエチレンアルキルエーテルリン酸エステルが炭素数１０以下のアルキル基を有する、請求項３に記載の水性インキ組成物。
【請求項５】
前記リン酸エステルの含有量は、水性インキ組成物全量を基準として、０．０５〜５質量％である、請求項３又は４に記載の水性インキ組成物。
【請求項６】
５００〜３０００ｍＰａ・ｓの粘度を有する、請求項１〜５のいずれか一項に記載の水性インキ組成物。
【請求項７】
インキ収容部材及びボールペンチップを備えるボールペンであって、
請求項１〜６のいずれか一項に記載の水性インキ組成物が前記インキ収容部材に収容されている、水性ボールペン。
【発明の詳細な説明】
【技術分野】
【０００１】
本発明は、水性インキ組成物及び水性ボールペンに関する。
【背景技術】
【０００２】
筆記具により紙面上に描線を形成する際に、インキ組成物の乾燥に時間を要すると、描線形成後乾燥までの間にインキ組成物が転写するおそれがあり、上記描線からなる文字等の認識が困難となる場合がある。したがって、筆記具により紙面上に形成された描線には優れた乾燥性が求められる。【０００３】
特許文献１では、シリコン系界面活性剤を含む水性インキが開示され、得られる描線は乾燥性等に優れることが記載されている。また、特許文献２では、架橋ゼラチンを含む水性インキが開示され、得られる筆跡の乾燥性が良好であることが記載されている。
【先行技術文献】
【特許文献】
【０００４】
【特許文献１】特開平１０−２３１４５１号公報
【特許文献２】特開２０００−１０３９９８号公報
【発明の概要】
【発明が解決しようとする課題】
【０００５】
一方、描線の乾燥性に優れる筆記具のインキ組成物は、紙面上でにじみやすく、描線が意図せず太くなる、又は描線がぼやける傾向があった。【０００６】
本発明は、上記課題に鑑みてなされたものであり、乾燥性に優れ、かつ、にじみの少ない描線を形成することが可能である水性インキ組成物、及びそれを用いた水性ボールペンを提供することを目的とする。
【課題を解決するための手段】
【０００７】
本発明は、ポリオキシエチレンアルキルエーテル、水溶性有機溶剤、着色剤、及び水を含有し、上記ポリオキシエチレンアルキルエーテルのＨＬＢ値が１２〜１５であり、上記ポリオキシエチレンアルキルエーテルが炭素数８〜１２のアルキル基を有する、水性インキ組成物を提供する。【０００８】
本発明の水性インキ組成物によれば、乾燥性と、にじみという相反する特性を両立することが可能となる。【０００９】
上記ポリオキシエチレンアルキルエーテルの含有量は、水性インキ組成物全量を基準として、０．１〜１０質量％であることが好ましい。【００１０】
上記水性インキ組成物はリン酸エステルをさらに含有することが好ましい。さらに、上記リン酸エステルがポリオキシエチレンアルキルエーテルリン酸エステルであり、上記ポリオキシエチレンアルキルエーテルリン酸エステルが炭素数１０以下のアルキル基を有することが好ましい。【００１１】
上記リン酸エステルの含有量は、水性インキ組成物全量を基準として、０．０５〜５質量％であることが好ましい。【００１２】
上記水性インキ組成物は、５００〜３０００ｍＰａ・ｓの粘度を有することが好ましい。【００１３】
本発明はまた、インキ収容部材及びボールペンチップを備えるボールペンであって、上記水性インキ組成物が上記インキ収容部材に収容されている、水性ボールペンを提供する。
【発明の効果】
【００１４】
本発明によれば、乾燥性に優れ、かつ、にじみの少ない描線を形成することが可能である水性インキ組成物、及びそれを用いた水性ボールペンを提供することができる。
【図面の簡単な説明】
【００１５】
【図１】図１は本発明に係る水性ボールペンの一実施形態を示す模式断面図である。
【発明を実施するための形態】
【００１６】
以下、必要に応じて図面を参照しながら、本発明の好適な実施形態について詳細に説明する。
【００１７】
（水性インキ組成物）
本実施形態の水性インキ組成物は、ポリオキシエチレンアルキルエーテル、水溶性有機溶剤、着色剤、及び水を含有する。
【００１８】
ポリオキシエチレンアルキルエーテルは炭素数８〜１２のアルキル基を有する。水性インキ組成物がポリオキシエチレンアルキルエーテルを含有することにより、水性インキ組成物の紙への浸透性を高めることが可能となる。上記炭素数は８〜１０であることが好ましい。
【００１９】
ポリオキシエチレンアルキルエーテルは、具体的には、下記式（１）で表される。
【化１】
0005918867.tif 000002
式中、Ｒ１は炭素数８〜１２のアルキル基を表す。ポリオキシエチレンアルキルエーテルのアルキル基の炭素数が８以上であることにより、描線のにじみを少なくすることが可能となる。ポリオキシエチレンアルキルエーテルのアルキル基の炭素数が１２以下であることにより、水性インキ組成物の紙への浸透性を高めることが可能となる。同様の観点から、上記アルキル基の炭素数は８〜１０であることが好ましい。また、上記アルキル基は分岐鎖状であることが好ましい。このようなアルキル基としては、イソデシル基及びエチルヘキシル基等が挙げられる。式中のｎは、ＨＬＢ値が後述する範囲内に入るように選択することができ、たとえば、５〜２０の整数である。
【００２０】
ポリオキシエチレンアルキルエーテルのＨＬＢ（Ｈｙｄｒｏｐｈｉｌｅ−Ｌｉｐｏｐｈｉｌｅ  Ｂａｌａｎｃｅ）値は１２〜１５である。ＨＬＢ値が１２以上であることにより、水性インキ組成物中でのポリオキシエチレンアルキルエーテルの溶解安定性が増し、描線のにじみを抑制することが可能となる。ＨＬＢ値が１５以下であることにより、水性インキ組成物の紙面への浸透性を高めることが可能となる。同様の観点から、上記ＨＬＢ値は１４〜１５であることが好ましい。
【００２１】
ポリオキシエチレンアルキルエーテルの含有量は、水性インキ組成物全量を基準として、０．１〜１０質量％であることが好ましく、０．５〜２質量％であることがより好ましい。ポリオキシエチレンアルキルエーテルの含有量が０．１質量％以上であることにより、水性インキ組成物の紙への浸透性を高める傾向がある。また、ポリオキシエチレンアルキルエーテルの含有量が１０質量％以下であることにより、浸透性を維持しながら、優れた溶解安定性が得られる傾向がある。
【００２２】
水溶性有機溶剤としては、エチレングリコール、ジエチレングリコール、トリエチレングリコール、ポリエチレングリコール、プロピレングリコール、エチレングリコールモノメチルエーテル、グリセリン、ピロリドン、尿素、チオ尿素、エチレン尿素、ソルビット、マンニット、ショ糖、ぶどう糖、還元デンプン加水分解物、及びピロリン酸ナトリウム等が挙げられる。水溶性有機溶剤の含有量は、水性インキ組成物全量を基準として、好ましくは１〜３０質量％であり、より好ましくは５〜２０質量％である。
【００２３】
着色剤としては、染料及び顔料が挙げられる。染料は水溶性染料であることが好ましく、たとえば、直接染料、酸性染料及び塩基性染料等である。顔料は水分散性顔料であることが好ましく、たとえば、有機顔料及び無機顔料等である。上記着色剤は１種を単独で用いられてもよく、２種以上を組み合わせて用いられてもよい。
【００２４】
直接染料としては、たとえば、カラーインデックス（以下、Ｃ．Ｉ．という）Ｄｉｒｅｃｔ  Ｂｌａｃｋ  １７，同１９，同３８，同１５４、Ｃ．Ｉ．Ｄｉｒｅｃｔ  Ｙｅｌｌｏｗ  １，同４，同１２，同２９、Ｃ．Ｉ．Ｄｉｒｅｃｔ  Ｏｒａｎｇｅ  ６，同８，同２６，同２９、Ｃ．Ｉ．Ｄｉｒｅｃｔ  Ｒｅｄ  １，同２，同４，同１３、Ｃ．Ｉ．Ｄｉｒｅｃｔ  Ｂｌｕｅ  ２，同６，同１５，同７８，同８７等が挙げられる。
【００２５】
また、酸性染料としては、Ｃ．Ｉ．Ａｃｉｄ  Ｂｌａｃｋ２，同３１、Ｃ．Ｉ．Ａｃｉｄ  Ｙｅｌｌｏｗ  ３，同１７，同２３，同７３、Ｃ．Ｉ．Ａｃｉｄ  Ｏｒａｎｇｅ  １０，Ｃ．Ｉ．Ａｃｉｄ  Ｒｅｄ  １３，同１４，同１８，同２７，同５２，同７３，同８７，同９２、Ｃ．Ｉ．Ａｃｉｄ  Ｂｌｕｅ  １，同９，同７４，同９０等が挙げられる。
【００２６】
また、塩基性染料としては、Ｃ．Ｉ．Ｂａｓｉｃ  Ｙｅｌｌｏｗ２，同３、Ｃ．Ｉ．Ｂａｓｉｃ  Ｒｅｄ  １，同２，同８，同１２、Ｃ．Ｉ．Ｂａｓｉｃ  Ｖｉｏｌｅｔ  １，同３，同１０、Ｃ．Ｉ．Ｂａｓｉｃ  Ｂｌｕｅ  ５，同９，同２６等が挙げられる。
【００２７】
水分散性顔料としては、水系媒体に分散可能であれば特に制限されず、たとえば、カーボンブラック及び金属粉等の無機顔料、アゾ系、フタロシアニン系及びキナクドリン系等の有機顔料、並びに蛍光顔料等が挙げられる。
【００２８】
本実施形態の水性インキ組成物は、上述の成分の水溶液又は水分散液として、或いは上述の成分とは別に、水を含有する。水の含有量は、水性インキ組成物全量を基準として、好ましくは２０〜８０質量％であり、より好ましくは４０〜８０質量％である。
【００２９】
本実施形態の水性インキ組成物は、リン酸エステルをさらに含有していてもよい。水性インキ組成物がリン酸エステルを含有することにより、描線の乾燥性を損なうことなく、優れた潤滑性を得ることができる傾向がある。さらに、水性インキ組成物が後述する特定のリン酸エステルを含有することにより、描線のにじみを抑制できる傾向がある。
【００３０】
リン酸エステルは下記式（２）で表される。
Ｏ＝Ｐ（ＯＲ２）ｐ（ＯＨ）３−ｐ  ・・・（２）
式中、Ｒ２は有機基を表す。上記有機基としては、たとえば、アルキル基及びアリール基等が挙げられる。上記アルキル基及びアリール基はさらにアルコキシ基等で置換されていてもよい。式中のｐは１〜３の整数である。
【００３１】
リン酸エステルはポリオキシエチレンアルキルエーテルリン酸エステルであることが好ましい。なお、本明細書において、ポリオキシエチレンアルキルエーテルリン酸エステルは、ポリオキシエチレンアルキルエーテルの構造を有していても、リン酸エステルに分類する。ポリオキシエチレンアルキルエーテルリン酸エステルは下記式（３）で表される。
Ｏ＝Ｐ［（ＯＣＨ２ＣＨ２）ｑＯＲ３］ｐ（ＯＨ）３−ｐ  ・・・（３）
式中、Ｒ３は炭素数１０以下のアルキル基を表す。アルキル基の炭素数は１〜１０であることが好ましく、６〜１０であることがより好ましい。式中のｐは１〜３の整数であり、ｑは溶解安定性が良好となるように適宜選択され、たとえば、２〜１０の整数である。ポリオキシエチレンアルキルエーテルリン酸エステルのＲ３のアルキル基の炭素数が１０以下であることにより、描線の乾燥性を損なうことなく、にじみを抑制できる傾向がある。
【００３２】
本実施形態の水性インキ組成物がリン酸エステルを含有する場合、リン酸エステルの含有量は、水性インキ組成物全量を基準として、０．０５〜５質量％であることが好ましく、０．５〜２質量％であることがより好ましい。リン酸エステルの含有量が０．０５質量％以上であることにより、描線の乾燥性を維持しながら、潤滑性を向上させることができる傾向がある。また、リン酸エステルの含有量が５質量％以下であることにより、潤滑性を維持しながら、優れた溶解安定性を得ることができる傾向がある。
【００３３】
本実施形態の水性インキ組成物は、上述の成分に加えて、防錆剤、ｐＨ調整剤、増粘剤、防腐剤（防黴剤）、潤滑剤、染料溶解助剤、及び固着樹脂等の添加剤を含有していてもよい。
【００３４】
防錆剤としては、ベンゾトリアゾール及びその誘導体、トリルトリアゾール、ジシクロヘキシルアンモニウムナイトライト、ジイソプロピルアンモニウムナイトライト、チオ硫酸ナトリウム、エチレンジアミン四酢酸塩、イミダゾール、ベンゾイミダゾール、サポニン、並びにジアルキルチオ尿素等が挙げられる。防錆剤の含有量は、水性インキ組成物全量を基準として、好ましくは０．３〜５質量％であり、より好ましくは０．５〜３質量％である。
【００３５】
ｐＨ調整剤としては、炭酸ナトリウム、リン酸ナトリウム、水酸化ナトリウム及び酢酸ソーダ等の無機塩類、並びに、トリエタノールアミン及びジエタノールアミン等の水溶性のアミン化合物等の有機塩基性化合物等を用いることができる。
【００３６】
増粘剤としては、天然系−キサンタンガム、グァーガム、ローカストビーンガム、カラギーナン、アラビアガム、トラガカンドガム、アルギン酸、ゼラチン、寒天、カゼイン、サイリウムシートガム、タマリンドシートガム、合成系−メチルセルロース、エチルセルロース、ヒドロキシエチルセルロース、カルボキシメチルセルロース、カルボキシメチルセルロースナトリウム、アルギン酸ナトリウム、ポリビニルピロリドン、ポリビニルアルコール、ポリビニルメチルエーテル、ポリアクリル酸ナトリウム、及びカルボキシビニルポリマーなどが挙げられる。これらは１種を単独で又は２種以上を組み合わせて用いることができる。増粘剤の含有量は、水性インキ組成物全量を基準として、好ましくは０．１〜３質量％であり、より好ましくは０．２〜１質量％である。該含有量が３質量％を超えると、水性インキ組成物の粘度が高くなり過ぎて、ペン先で詰まり易くなる傾向がある。一方、該含有量が０．１質量％未満であると、水性インキ組成物の粘度が低くチップ先端よりインキ漏れを起こしやすくなる傾向がある。
【００３７】
防腐剤（防黴剤）としては、石炭酸、１，２−ベンズイソチアゾリン−３−オンのナトリウム塩、安息香酸ナトリウム、デヒドロ酢酸ナトリウム、ソルビン酸カリウム、パラオキシ安息香酸プロピル、及び２，３，５，６−テトラクロロ−４−（メチルスルフォニル）ピリジン等が挙げられる。防腐剤の含有量は、水性インキ組成物全量を基準として、好ましくは０．１〜５質量％であり、より好ましくは０．１〜１質量％である。
【００３８】
潤滑剤としては、オレイン酸等の高級脂肪酸、長鎖アルキル基を有するノニオン性界面活性剤、ポリエーテル変性シリコーンオイル、チオ亜燐酸トリ（アルコキシカルボニルメチルエステル）及びチオ亜燐酸トリ（アルコキシカルボニルエチルエステル）等のチオ亜燐酸トリエステル、並びに、それらの金属塩、アンモニウム塩、アミン塩、及びアルカノールアミン塩等が挙げられる。潤滑剤の含有量は、水性インキ組成物全量を基準として、好ましくは０．３〜５質量％であり、より好ましくは０．５〜３質量％である。
【００３９】
本実施形態の水性インキ組成物の粘度は、温度２５℃及びせん断速度０．７５ｓ−１において、５００〜３０００ｍＰａ・ｓであることが好ましく、１０００〜２０００ｍＰａ・ｓであることがより好ましい。上記粘度が５００ｍＰａ・ｓ以上であることにより、チップ先端よりインキ漏れを起こしにくく、描線のにじみが少なくなる傾向がある。また、上記粘度が３０００ｍＰａ・ｓ以下であることにより、水性インキ組成物の紙への優れた浸透性が得られる傾向がある。
【００４０】
本実施形態の水性インキ組成物は、ポリオキシエチレンアルキルエーテル、水溶性有機溶剤、着色剤及び水、必要に応じて、リン酸エステル又は添加剤を、たとえば、ディゾルバー、ヘンシェルミキサー及びホモミキサーなどの攪拌機を用いて、混合することにより得られる。攪拌機の攪拌条件は特に制限されないが、たとえば、ディゾルバー攪拌機を用いて、回転数１００〜１０００ｒｐｍで３０〜１８０分間攪拌することにより、各成分が均一に分散した水性インキ組成物を得ることができる。
【００４１】
（水性ボールペン）
図１は、本実施形態の水性ボールペンを示す模式断面図である。図１に示すボールペン１００において、水性インキ組成物１２はインキ収容部材１４内に充填（収容）されている。インキ収容部材１４の一端にはボールペンチップ２０が取り付けられている。このボールペンチップ２０は、ボールホルダー２４及びボールホルダー２４によって回転可能に保持されるボール２６で構成され、ジョイント２５によりインキ収容部材１４に固定されている。また、インキ収容部材１４内には、ボールペンチップ２０側と反対側に、水性インキ組成物１２と隣接した状態で逆流防止体１６が収容されている。ここで、逆流防止体１６は、水性インキ組成物１２との間に隙間が生じないように配置される。
【００４２】
また、ボールペン１００においては、インキ収容部材１４、ジョイント２５、ボールペンチップ２０、水性インキ組成物１２及び逆流防止体１６により中芯１０が構成されており、この中芯１０が本体軸１８に装着され、さらに本体軸１８の後端（ボールペンチップ２０と反対側の一端）に通気孔を有する尾栓２８が取り付けられている。
【００４３】
以下、ボールペン１００の構成要素について説明するが、水性インキ組成物１２以外の構成には、通常のボールペンに用いられる一般的な構成を適用することができる。水性インキ組成物１２には、上記実施形態に係る水性インキ組成物が用いられる。
【００４４】
インキ収容部材１４としては、ポリプロピレン、ポリエチレン、ポリエチレンテレフタラート、ナイロン、ポリアセタール若しくはポリカーボネートなどの樹脂、又は、金属からなるものを使用することができる。また、インキ収容部材１４の形状は特に制限されず、たとえば、円筒状等の形状とすることができる。
【００４５】
逆流防止体１６は、水性インキ組成物を流出させない機能（流出防止性）や、水性インキ組成物をドライアップさせない機能（密栓性）等を有するものであり、こうした機能を有する公知の逆流防止体を特に制限なく使用することができる。かかる逆流防止体１６は、たとえば、基油と増稠剤とを含んで構成されている。基油としては、鉱油、ポリブテン、シリコン油、グリセリン及びポリアルキレングリコール等が挙げられる。また、増稠剤としては、金属石鹸系増稠剤、有機系増稠剤及び無機系増稠剤等が挙げられる。
【００４６】
なお、ボールペンチップ２０を下方に向けた場合に、逆流防止体１６が水性インキ組成物１２中に沈降しないように、逆流防止体１６の粘度や、水性インキ組成物１２と逆流防止体１６との間の比重差を調整することが好ましい。また、逆流防止体１６は、水性インキ組成物１２と相溶しない組成とすることが好ましい。
【００４７】
本体軸１８及び尾栓２８としては、たとえば、ポリプロピレン等のプラスチック材料からなるものを使用することができる。
【００４８】
ジョイント２５としては、たとえば、ポリプロピレン、ポリエチレン、ポリエチレンテレフタラート、ナイロン、ポリアセタール及びポリカーボネート等からなるものを使用することができる。
【００４９】
ジョイント２５、並びにボールペンチップ２０におけるボールホルダー２４及びボール２６としては、通常のボールペンに用いられているものを使用することができる。また、ボール２６の直径は０．３〜１．２ｍｍであることが好ましい。
【００５０】
上述した構成を有する実施形態のボールペン１００は、水性インキ組成物を除いて、通常のボールペン等の製造方法により製造することができる。
【００５１】
以上、本発明の水性インキ組成物及び該水性インキ組成物が充填された水性ボールペンの好適な実施形態について説明したが、水性インキ組成物及び水性ボールペンは上記実施形態に限定されるものではない。たとえば、上記実施形態の水性ボールペンは、本体軸１８を有していなくてもよく、インキ収容部材１４がそのまま本体軸となっていてもよい。さらに、上記実施形態のボールペンは、インキ収容部材１４中の水性インキ組成物及び逆流防止体が後端（ボールペンチップ２０と反対側の一端）側から加圧された状態となるような加圧機構を有するものであってもよい。また、上記実施形態の水性ボールペンは、逆流防止体１６を有していなくてもよい。
【実施例】
【００５２】
以下に、実施例を挙げて本発明を具体的に説明するが、本発明の範囲はこれらに限定されるものではない。【００５３】
［水性インキ組成物の調製］
（実施例１）
ポリオキシエチレンアルキルエーテル０．５質量部、リン酸エステル１．０質量部、着色剤３０．０質量部、防錆剤０．１質量部、ｐＨ調整剤０．５質量部、増粘剤０．５質量部、水溶性有機溶剤１５．０質量部、及び水５２．４質量部を混合し、水性インキ組成物を得た。【００５４】
ポリオキシエチレンアルキルエーテルには、ノニオンＥＨ２０８（日油株式会社製、ポリオキシエチレン−２−エチルヘキシル−エーテル、ＨＬＢ１４．６）を用いた。リン酸エステルには、プライサーフＡ２０８Ｆ（第一工業製薬株式会社製、ポリオキシエチレン−２−エチルヘキシル−エーテルリン酸エステル）を用いた。着色剤には、ＷＡＴＥＲ  ＢＬＡＣＫ  １９１−Ｌ  １５％ｓｏｌ（オリエント化学工業株式会社製、黒色染料、１５質量％水溶液）を用いた。防錆剤にはトリルトリアゾールを用いた。ｐＨ調整剤にはトリエタノールアミンを用いた。増粘剤にはキサンタンガムを用いた。水溶性有機溶剤にはプロピレングリコールを用いた。【００５５】
（実施例２及び４、参考例３、並びに比較例１〜６）
混合する材料の種類、及び量（質量部）を下記表１及び表２に示すとおりに変更した以外は、実施例１と同様にして、実施例２及び４、参考例３、並びに比較例１〜６の水性インキ組成物を得た。
【００５６】
実施例１、２及び４、参考例３、並びに比較例１〜６の水性インキ組成物の組成及び粘度をまとめて表１及び表２に示す。表中の数値の単位は、特に断りのない場合は、質量部である。また、水性インキ組成物の粘度は下記条件での測定値である。
【００５７】
＜粘度測定条件＞
装置：  ＢＲＯＯＫＦＩＥＬＤ  ＶＩＳＣＯＭＥＴＥＲ  ＤＶ−ＩＩ＋  Ｐｒｏ  
温度：  ２５℃
回転数：  ０．１ｒｐｍ（せん断速度：０．７５ｓ−１）【００５８】
【表１】
0005918867.tif 000003
【００５９】
【表２】
0005918867.tif 000004
【００６０】
表１及び表２中に挙げられる化合物の詳細は以下のとおりである。
ノニオンＥＨ２０４：日油株式会社製、ポリオキシエチレン−２−エチルヘキシル−エーテル、ＨＬＢ１１．５
ノニオンＥ２０５：日油株式会社製、ポリオキシエチレンオレイルエーテル、ＨＬＢ９．０
ノイゲンＳＤ３０：第一工業製薬株式会社製、ポリオキシエチレンイソデシルエーテル、ＨＬＢ１０．１
ノイゲンＳＤ８０：第一工業製薬株式会社製、ポリオキシエチレンイソデシルエーテル、ＨＬＢ１４．３
ノイゲンＳＤ１１０：第一工業製薬株式会社製、ポリオキシエチレンイソデシルエーテル、ＨＬＢ１５．５
ＤＫＳ  ＮＬ−５０：第一工業製薬株式会社製、ポリオキシエチレンラウリルエーテル、ＨＬＢ１０．６
ＤＫＳ  ＮＬ−９０：第一工業製薬株式会社製、ポリオキシエチレンラウリルエーテル、ＨＬＢ１３．４
ＤＫＳ  ＮＬ−１８０：第一工業製薬株式会社製、ポリオキシエチレンラウリルエーテル、ＨＬＢ１６．１
フォスファノールＲＡ６００：東邦化学工業株式会社製、ポリオキシエチレンアルキル（Ｃ６−１０）エーテルリン酸エステル
プライサーフＡ２１０Ｄ：第一工業製薬株式会社製、ポリオキシエチレンアルキル（Ｃ１０）エーテルリン酸エステル
ダイワブルー３００Ｌ  １３％ｓｏｌ：ダイワ化成工業株式会社製、青色染料、１３質量％水溶液【００６１】
［水性インキ組成物の評価］
図１に示したボールペンのインキ収容部材に、実施例１、２及び４、参考例３、並びに比較例１〜６で得られた水性インキ組成物をそれぞれ充填して、直径が０．５ｍｍのボールを有するボールペンを作製した。同様にして、実施例１、２及び４、参考例３、並びに比較例１〜６で得られた水性インキ組成物から、直径が０．７ｍｍのボールを有するボールペンを作製した。得られた水性ボールペンを用いて、水性インキ組成物に対する後述の評価を行った。評価結果を表３に示す。
【００６２】
（描線乾燥性）
温度２５℃、湿度６０％ＲＨの環境下において、上述の水性ボールペンで上質紙に手書き筆記した文字の上を市販の綿棒で擦り、筆記後、綿棒に水性インキ組成物が転写しなくなるまでの時間を測定した。水性インキ組成物が転写しなくなるまでの時間を下記基準に従って評価し、描線乾燥性を判断した。
Ａ：筆記後、水性インキ組成物が転写しなくなるまでの時間が２秒以下である。
Ｂ：筆記後、水性インキ組成物が転写しなくなるまでの時間が２秒を超える。【００６３】
（描線にじみ）
ポリオキシエチレンアルキルエーテルを添加しない以外は実施例１、２及び４、参考例３、並びに比較例１〜６と同様にして得られた水性インキ組成物を用いて、上述と同様にして、実施例１、２及び４、参考例３、並びに比較例１〜６のそれぞれに対応する参照用水性ボールペンを作製した。各実施例、参考例及び比較例の水性インキ組成物から得られた上述の水性ボールペン、及びそれぞれに対応する上記参照用水性ボールペンを用いて、上質紙に直線を機械筆記し、それぞれの筆記線幅を測定した。機械筆記の荷重は１００ｇとした。各実施例、参考例及び比較例の水性インキ組成物から得られた水性ボールペンの筆記線幅を、それぞれに対応する参照用水性ボールペンの筆記線幅で除した値（線幅比）を計算し、以下の基準で描線にじみを評価した。
Ａ：線幅比が１．１未満であり、描線にじみが小さい。
Ｂ：線幅比が１．１以上であり、描線にじみが大きい。
【００６４】
【表３】
0005918867.tif 000005
【００６５】
表３の評価結果から、実施例１、２及び４、並びに参考例３で得られる水性インキ組成物は、乾燥性に優れ、かつ、にじみの少ない描線を形成することが可能であることが確認された。
【産業上の利用可能性】
【００６６】
本発明に係る水性インキ組成物は、筆記用具、ボールペン、及びインキジェット等の印字用具に適用され、特にボールペンに好適に適用される。
【符号の説明】
【００６７】
１０・・・中芯、１２・・・水性インキ組成物、１４・・・インキ収容部材、１６・・・逆流防止体、１８・・・本体軸、２０・・・ボールペンチップ、２４・・・ボールホルダー、２５・・・ジョイント、２６・・・ボール、２８・・・尾栓、１００・・・ボールペン。
【図１】
0005918867.tif 000006